(57)【特許請求の範囲】
【請求項１】
一対の側体を有し、これら側体が所定間隔で連結された本体と、
上記一対の側体の前端部に前後方向の前端部が回動可能に連結された着座体と、
シリンダ及びこのシリンダから突出する方向に付勢されるとともに任意の突出位置で軸方向の移動がロックされるロッドを有し、一端と他端とが上記着座体と上記本体とに連結して設けられたガススプリングと、
上記着座体の前端部に上方に向かって突出するとともに上端部が上記着座体の前方に向かって屈曲した屈曲部に形成されたハンドルと、
上記屈曲部にこの屈曲部に沿ってスライド可能かつ任意の位置で固定可能に設けられ回動操作によって上記ガススプリングのロッドのロック状態を解除する操作レバーと、
を具備したことを特徴とする椅子。
【請求項２】
上記ハンドルの屈曲部には一端部が縮径方向に弾性的に変形可能な管状の第１の手掛け部材がスライド可能に設けられ、この第１の手掛け部材の一端部には、一端が枢着された上記操作レバー及び上記第１の手掛け部材の一端部を縮径方向に弾性変形させて上記屈曲部に対してスライド不能に固定する締め付け部材が設けられていることを特徴とする請求項１記載の椅子。
【請求項３】
上記屈曲部には、この屈曲部にスライド可能かつ任意の位置で固定可能な取付け部材が設けられ、この取付け部材には上記屈曲部の軸線に対してほぼ直角に第２の手掛け部材が設けられ、この第２の手掛け部材には上記操作レバーが一端部を枢着して設けられることを特徴とする請求項１記載の椅子。
【発明の詳細な説明】
【０００１】
【発明の属する技術分野】
この発明は足腰の筋力が低下した利用者が使用するのに好適する椅子に関する。
【０００２】
【従来の技術】
足腰の筋力が弱っている利用者が椅子の座部体に座ったり、立ち上がることは容易でなく、介助者の介助が必要なことがある。しかしながら、介助者が足腰の筋力が弱っている利用者を椅子から立ち上がらせたり、座らせる場合、介助者に掛かる負担が大きくなる。そのため、介助者に掛かる負担を軽減することができる椅子の開発が望まれている。
【０００３】
一般に、椅子は利用者が着座するための座部体を有する。この座部体は通常、脚体にほぼ水平に設けられている。そのため、上記座部体に着座するとき、利用者は臀部を座部体の高さ位置まで深く降ろさなければならないから、その動作が足腰に大きな負担を掛けることになる。
【０００４】
また、利用者が立ち上がるときには、座部体に深く降ろした臀部を上げなければならず、しかも脚部を曲げた状態から伸ばさなければならないから、座るとき以上に大きな負担となる。
【０００５】
そこで、本件出願人は特願２０００−３０５１８８号に示す便器用着座補助装置を提案した。この出願の便器用着座補助装置は、本体の前端部上部に、弁座が取付けられたフレーム（着座体）の前端部が回動可能に連結されている。上記本体とフレームとの間にはリンク機構が設けられ、上記フレームはガススプリングによって起立方向に付勢されている。
【０００６】
上記本体には、上記フレームの両側に位置するハンドルが回動可能に設けられている。このハンドルは上記リンク機構に連結されている。そして、利用者が上記ハンドルを操作することで、利用者が上記便器に着座するときや立ち上がるときに弁座を緩やかに回動させることができるようにしている。
【０００７】
それによって、付勢力の大きなガススプリングを用いなくても、着座時にはハンドルによってフレームの倒伏方向への回動速度を抑制することで緩やかに着座することができ、起立時には同じくハンドルに体重を掛けるなどしてフレームの起立方向への回動を助長すれば、利用者は足腰に大きな負担を掛けずに着座したり、立ち上がることができるというものである。
【０００８】
【発明が解決しようとする課題】
上記構成の便器用着座補助装置によれば、確かに利用者は着座するときや立ち上がるときに足腰に掛かる負担を軽減することができる。しかしなながら、本体にハンドルを設け、このハンドルと便座とをリンク機構によって連動するよう連結しているため、上記リンク機構によって構成の複雑化や部品点数の増加を招くということがあった。
【０００９】
上記便座は、ガススプリングによって起立方向に付勢され、このガススプリングのストロークエンドまで上昇方向に回動させられる構成となっていた。そのため、立ち上り時や着座時には、便座を倒伏した状態或いは起立した状態から上記ガススプリングのストロークエンドまで一度に回動させることになるから、利用者は立ち上り時や着座時に途中で足腰を休めたり、順応させるなどのことができないため、負担が大きくなるということがある。
【００１０】
さらに、利用者によっては立ち上り時の便座の上昇角度が大き過ぎ、臀部が前方に押されるため、安定した状態で緩やかに立ち上がることができないということがある。立ち上り時の便座の上昇角度を小さくすると、着座時には便座が低過ぎ、利用者は臀部を深く降ろさなければならなくなるから、利用者の足腰に掛かる負担が大きくなるということがある。
【００１１】
この発明は、リンク機構を用いずに構成の簡略化を図るとともに、利用者が着座したり、立ち上がるときに、着座体を任意の角度で回動不能に保持したり、上昇限の回動角度を設定することができる椅子を提供することにある。
【００１２】
【課題を解決するための手段】
請求項１の発明は、一対の側体を有し、これら側体が所定間隔で連結された本体と、
上記一対の側体の前端部に前後方向の前端部が回動可能に連結された着座体と、
シリンダ及びこのシリンダから突出する方向に付勢されるとともに任意の突出位置で軸方向の移動がロックされるロッドを有し、一端と他端とが上記着座体と上記本体とに連結して設けられたガススプリングと、
上記着座体の前端部に上方に向かって突出するとともに上端部が上記着座体の前方に向かって屈曲した屈曲部に形成されたハンドルと、
上記屈曲部にこの屈曲部に沿ってスライド可能かつ任意の位置で固定可能に設けられ可動操作によって上記ガススプリングのロッドのロック状態を解除する操作レバーと、
を具備したことを特徴とする椅子にある。
【００１３】
請求項２の発明は、上記ハンドルの屈曲部には一端部が縮径方向に弾性的に変形可能な管状の第１の手掛け部材がスライド可能に設けられ、この第１の手掛け部材の一端部には、一端が枢着された上記操作レバー及び上記第１の手掛け部材の一端部を縮径方向に弾性変形させて上記屈曲部に対してスライド不能に固定する締め付け部材が設けられていることを特徴とする請求項１記載の椅子にある。
【００１４】
請求項３の発明は、上記屈曲部には、この屈曲部にスライド可能かつ任意の位置で固定可能な取付け部材が設けられ、この取付け部材には上記屈曲部の軸線に対してほぼ直角に第２の手掛け部材が設けられ、この第２の手掛け部材には上記操作レバーが一端部を枢着して設けられることを特徴とする請求項１記載の椅子にある。
【００１５】
この発明によれば、ガススプリングを着座体に直接連結するため、リンク機構が不要となり、しかもガススプリングは動作を途中でロックしたり、解除することができるため、着座体の上昇時の回動角度を、利用者が利用し易い角度に変更したり、途中の角度で回動不能に保持することができ、さらにハンドルに設けられたガススプリングを操作する操作レバーの位置を利用者が利用し易い位置に位置決めすることができる。
【００１６】
【発明の実施の形態】
以下、この発明の実施の形態を図面を参照しながら説明する。
【００１７】
図１乃至図１３はこの発明の第１の実施の形態を示し、図１は椅子の斜視図であって、この椅子は本体１を備えている。この本体１は一対の側体２を有する。側体２は、接地部材３の前端に前脚４、後端に前脚４よりも背の高い後脚５が立設され、前脚４の上端と後脚５の上部とが肘掛６によって連結されてなる。
【００１８】
一対の側体２は所定間隔で平行に配置され、一対の後脚５の上端部が背板７によって連結されている。一対の側体２の前脚４間には前板８が架設され、後脚５間には後板９が架設されている。さらに、各側体２の前脚４と後脚５との間には側板１１が架設されている。それによって、本体１には、上記前板８、後板９及び側板１１によって周囲が囲まれた空間部１２が形成され、この空間部１２内に図示しない携帯用の便器を出し入れすることができるようになっている。
【００１９】
上記一対の前脚４の上記前板８の上端よりもわずかに上方の箇所には着座体１３の前端が回動可能に連結されている。上記着座体１３は、図２に示すように一対の側部材１４の後端を後部材１５で連結してほぼコ字状をなしたフレーム１６と、このフレーム１６の後部材１５に後端を回動可能に連結して設けられた便座１７とを有する。
【００２０】
図４に示すように、上記フレーム１６の一対の側体１４の先端には円筒状の受部１８が設けられ、この受け部１８には支軸１９の一端部が挿入され、ねじ２１によって固定されている。上記支軸１９の他端部は上記前脚４に設けられた軸受２２に回転可能に支持されている。したがって、上記着座板１３は上記支軸１９を支点として後端側が上昇する方向に回動させることができるようになっている。
【００２１】
図３に示すように、上記フレーム１６の一方の側体１４の後端部の下面には第１の連結片２３が固着されている。図５に示すように、この第１の連結片２３には、シリンダ２４ａ及びこのシリンダ２４に突没可能に設けられたロッド２４ｂからなるガススプリング２４の上記ロッド２４ｂの先端に固着された取付け片２５がピン２６によって枢着されている。シリンダ２４内には図示しないロック機構が設けられ、上記ロッド２４ｂを任意の突出位置で移動不能に保持できるようになっている。
【００２２】
上記取付け片２５にはロック解除機構を構成する作動杆２７の一端がピン２８によって枢着されている。この作動杆２７の中途部は上記ロッド２４ｂの先端面から突出した作動子２９に対向し、他端にはチューブ３１に通されたワイヤ３２の一端が連結されている。上記作動杆２７と作動子２９とでロック解除機構を構成している。
【００２３】
図５に鎖線で示すように、上記ワイヤ３２を引いて上記作動杆２７をピン２８を支点として回動させれば、この作動杆２７によって上記作動子２９が押圧される。それによって、上記ガススプリング２４のロック状態が解除されるから、ロッド２４ｂはガス圧によってシリンダ２４ａから突出方向に付勢される。
【００２４】
上記ガススプリング２４のシリンダ２４ａの末端は、図３に示すように一方の前脚４の下端部に設けられた第２の連結片３３にピン３４によって枢着されている。それによって、上記ガススプリング２４の作動子２９が作動杆２７によって押圧され、ロッド２４ｂがシリンダ２４ａから突出すると、上記着座体１３が支軸１９を支点として後端側が上昇する方向に回動する。
【００２５】
上記フレーム１６の側体１４の後端部と、一方の上記後脚５の下端部との間には規制部材としてのチェーン３５が設けられている。このチェーン３５は図７に示すように複数の球状体３６を杆状部３７によって連結してなる。
【００２６】
上記側体１４には板材をＵ字状に折曲した取付け部材３８が固着されている。この取付け部材３８の垂直部には上記球状体３６よりも大径な第１の通孔３９ａが形成され、水平部には上記球状体３６よりも小径で、上記第１の通孔３９ａに連通した第２の通孔３９ｂが形成されている。
【００２７】
上記チェーン３５の一端部は、所定の位置の球状体３６を上記第１の通孔３９ａから挿入し、その球状体３６の下端の杆状部３７を第２の通孔３９ｂに挿入して取付け部材３８の水平部の上面に係合させることができる。それによって、チェーン３５は上記取付け部材３６に着脱可能かつ長さ調整可能に係合される。
【００２８】
したがって、上記着座体１３は、上記取付け部材３８に対する上記チェーン３５の係合長さによって上昇方向への回動が制限されるようになっている。つまり、チェーン３５を取付け部材３８に連結すれば、着座体１３はガススプリング２４のストロークの途中で、上昇角度が制限される。
【００２９】
図４に示すように、上記着座体１３のフレーム１６の一対の側体１４の先端部の上面には逆Ｔ字状の取付け片４１が固着されている。各取付け片４１にはそれぞれハンドル４２の下端部が取付け軸を兼ねるボルト４３によって枢着されている。このボルト４３の取付け片４１から突出した端部にはナット４４が螺合され、それによってボルト４３が抜け出るのを阻止している。
【００３０】
上記ハンドル４２の下端部には径方向に沿って逆Ｌ字状の切り欠き部４５が形成されている。ハンドル４２をほぼ垂直に起立させると、上記切り欠き部４５の径方向に沿う面が上記取付け片４１の上端面に当接する。それによって、ハンドル４２はそれ以上前方へ回動するのが阻止される。
【００３１】
つまり、ハンドル４２は図８に実線で示すようにほぼ垂直に起立した状態と、この起立状態から同図に鎖線で示すように後方へほぼ水平に倒伏した状態との間で回動させることが可能となっている。
【００３２】
上記ハンドル４２は、図６に示すように上記取付け片４１に下端部が連結された固定管部５１と、この固定管部５１の上端部内にスライド可能に挿入された可動管部５２とを有する。図１乃至図３に示すように、可動管部５２の上半分は本体１の前方に向かってほぼくの字状に屈曲した屈曲部５２ａとなっている。
【００３３】
上記固定管部５１の上端部には複数の第１の透孔５３が軸方向に沿って所定間隔で穿設され、可動管部５２には１つの第２の透孔５４が穿設されている。上記可動管部５２の上端部内にはＵ字状ばね５５が圧縮状態で収容されている。このＵ字状ばね５５の一端には円柱状のストッパ５６が固着されている。このストッパ５６は第１の透孔５３と第２の透孔５４とが対向したときに、これらの透孔５３，５４から弾性的に突出する。それによって、可動管部５２を固定管部５１にスライド不能に保持固定する。
【００３４】
上記ストッパ５６をＵ字状ばね５５の付勢力に抗して押し込み、第２の透孔５４との係合を外し、可動管部５２を上下方向にスライドさせれば、上記ストッパ５６を任意の位置の第２の透孔５４に係合させることができるから、その位置で可動管部５２をスライド不能に保持できる。つまり、ハンドル５６の屈曲部５２ａの先端部の高さ（長さ）を所定の高さに設定することができる。
【００３５】
図９は可動管部５２を上下方向にスライドさせてハンドル４２の高さを調整する状態を示している。つまり、ハンドル４２は、同図に実線で示す位置から鎖線で示すように高さを調整することが可能となっている。
【００３６】
一対のハンドル４２は同じ形状に形成されている。それによって、固定管部５１から取り外した一対の可動管部５２は左右を交換することができる。図１は後述する操作レバー５８が設けられたハンドル４２が本体１の右側に位置する状態を示し、左右の可動管部５２を交換することで、図１２に示すように操作レバー５８が設けられたハンドル４２が本体１の左側に位置する状態を示している。
【００３７】
図１３（ａ）〜（ｃ）に示すように、上記ハンドル４２の可動管部５２の屈曲部５２ａには管状体からなる第１の手掛け部材６０がスライド可能に外嵌されている。この第１の手掛け部材６０の一端部には軸方向に沿うすり割り溝６１が形成されている。それによって、第１の手掛け部材６０の一端部は縮径方向に弾性変形可能となっている。
【００３８】
なお、図示しないが、一方のハンドル４２の屈曲部５２ａに設けられた第１の手掛け部材６０には滑り止め用のゴム製のクリップが装着され、他方のハンドル４２の屈曲部５２ａの先端部には同じく図示しない滑り止め用のグリップが装着される。
【００３９】
図１３（ａ）に示すように、上記第１の手掛け部材６１の一端部には締め付け部材６６が設けられている。この締め付け部材６６は第１のバンド部材６７と第２のバンド部材６８とに分割されている。各バンド部材６７、６８の一端部は取付け溝６２が形成された板状の取付け片６３の一側面と他側面とに接合され、ピン６４によって固定されている。
【００４０】
上記取付け溝６２には上記操作レバー５８の一端部が挿入され、上記ピン６４によって枢着されている。この操作レバー５８の一端部には上記ワイヤ３２の他端が連結されている。
【００４１】
第２のバンド部材６８は上記第１の手掛け部材６０の外周面に沿う円弧状に形成され、その他端部は上記第１のバンド部材６７の他端部に間隔Ｇを介して対向している。上記第２のバンド部材６８の他端部にはばか孔６８ａが形成され、上記第１のバンド部材６７の他端部には上記ばか孔６８ａに対向するねじ孔６７ａが形成されている。
【００４２】
上記ばか孔６８ａからねじ孔６７ａにはねじ６９が螺合される。ねじ６９を螺合すれば、第１のバンド部材６７と第２のバンド部材６８とが上記第１の手掛け部材６０のすり割り溝６１が形成された一端部を締め付け、この一端部を縮径方向に弾性変形させることができる。
【００４３】
それによって、第１の手掛け部材６０は可動管部５２の屈曲部５２ａにスライド不能に固定される。つまり、上記第１の手掛け部材６０は、上記屈曲部５２ａの任意の位置で固定できるから、この第１の手掛け部材６０の一端部に設けられた操作レバー５８の位置を屈曲部５２ａの軸方向に対して所定の位置に位置決めできる。
【００４４】
上記第１の手掛け部材６０に手を掛けて操作レバー５８を把持し、この操作レバー５８を回動させれば、上記作動杆２７が上記ガススプリング２４の作動子２９を押圧するから、このガススプリング２４のロック状態を解除することができる。
【００４５】
つぎに、上記構成の椅子を利用する場合について図１０と図１１を参照しながら説明する。
【００４６】
図３は、着座体１３が水平に倒伏した状態から上昇限まで上昇した状態を示している。このときの着座体１３の起立角度は、後脚５と着座体１３のフレーム１６との間に張設されたチェーン３５及びガススプリング２４がロックされていることによって制限されており、その起立角度は上記着座体１３に係合させる上記チェーン３５の長さを変えて変更することができる。
【００４７】
図１０は利用者Ｕが椅子に着座するときや着座した利用者Ｕが起立するときの状態を示している。利用者Ｕが着座する場合、利用者Ｕは両手で一対のハンドル４２の先端部に手を掛けて臀部が着座体１３に当たるまで腰を降ろす。臀部が着座体１３に当たったならば、一方のハンドル４２の第１の手掛け部材６０に設けられた操作レバー５８を握り、ガススプリング２４のロック状態を解除する。
【００４８】
着座体１３は、ガススプリング２４の付勢力に抗して利用者Ｕの重さで下降方向に徐々に回動する。そのため、利用者Ｕは足腰に大きな負担が掛かることなく着座することができる。着座体１３を下降させる途中で、利用者Ｕが足腰に負担を感じたならば、操作レバー５８の握りを開放し、ガススプリング２４をロックすれば、着座体１３はそのときの回動位置で下降不能に保持される。したがって、利用者Ｕはその位置で足腰の折り曲げ状態を十分になじませてから再び着座体１３を下降させることができるから、身体に負担を感じることなく着座することができる。
【００４９】
利用者Ｕが立ち上がるときには、操作レバー５８を握ってガススプリング２４のロック状態を解除したならば、利用者Ｕはハンドル４２の前方に屈曲した可動管部５２の前方に向かって屈曲した屈曲部５２ａに体重をかける。それによって、着座体１３は利用者Ｕの体重と、ガススプリング２４の付勢力とによって上昇方向に回動するから、利用者Ｕは臀部が斜め上方に押し上げられて立ち上がることができる。
【００５０】
利用者Ｕが立ち上がるとき、途中で足腰に負担を感じたならば、その位置で操作レバー５８の握りを解除し、ガススプリング２４をロックすれば、着座体１３はその位置で上昇方向への回動が阻止される。したがって、利用者Ｕはその途中の位置で足腰をなじませてから、再び操作レバー５８を握ることで、臀部を所定の位置まで押し上げ、立ち上がることができる。
【００５１】
利用者Ｕが自力で着座したり、立ち上がることができない場合がある。そのような場合には、図１１に示すように介助者Ｈが片方の手で利用者Ｕを支え、他方の手で一方のハンドル４２を握り、介助者Ｈがハンドル４２に加える力を加減して着座体１３を利用者Ｕに負担の掛からない回動速度で回動させることで、利用者Ｕが着座したり、立ち上がるのを介助することができる。
【００５２】
介助者Ｈが利用者Ｕを介助して利用者Ｕを着座させたり、立ち上がらせるために利用者Ｕを動かす際、図１に示すように、着座体１３の両側にハンドル４２が本体１の前方に突出した状態にあると邪魔になることがある。
【００５３】
そのような場合には、介助者Ｈが握らない他方のハンドル４２を図８に鎖線で示すように後方へ倒伏させておけば、倒伏させたハンドル４２側から利用者Ｕを着座体１３に着座させたり、立ち上がった利用者Ｕを運び出すなどのことが容易に行なえる。
【００５４】
上記ハンドル４２は左右の交換が可能である。そのため、ハンドル４２に設けられたレバー５８を利用者Ｕや介護者Ｈが左右のどちらの手で操作したいかによって操作し易い方にレバー５８が設けられたハンドル４２を位置させることができる。
【００５５】
上記ハンドル４２は、左右の交換ができるだけでなく、図９に示すように高さ調整可能となっている。そのため、利用者Ｕや介護者Ｈの体格などに応じて上記ハンドル４２の高さを操作し易い高さに調整することができる。
【００５６】
このように、この発明の椅子は、本体１と、この本体１に枢着された着座体１３とに、ロック機構付きのガススプリング２４の一端と他端とを直接連結するようにした。つまり、従来のように着座体１３とガススプリング２４との間にリンク機構を介在させない構成であるから、構成の簡略化を図ることができる。
【００５７】
上記ガススプリング２４はロック機構付きである。そのため、座部体１３を起立方向或いは倒伏方向に回動させる際、回動の途中の位置で回動不能に保持することができる。したがって、利用者Ｕは立ち上がったり、座るとき、途中で足腰に負担を感じたときにはその状態で十分に身体をなじませたのち、立ち上がったり、着座することが可能となるから、利用者Ｕの身体に大きな負担が掛かるのを防止できる。
【００５８】
上記操作レバー５８が設けられた第１の手掛け部材６０は、ハンドル４２の屈曲部５２ａにスライド可能かつ任意の位置で固定可能に設けられている。したがって、上記操作レバー５８の位置を、利用者Ｕが把持しやすい位置に位置決めすることができるから、上記操作レバー５８の操作性を向上させることができる。
【００５９】
上記操作レバー５８は第１の手掛け部材６０と一体的にスライドする。そのため、第１の手掛け部材６０をスライドさせて操作レバー５８の位置を、図１３（ｂ）に示す状態から図１３（ａ）に示すように変更しても、利用者Ｕはスライド管６０とともに操作レバー５８を確実に把持し、この操作レバー５８を操作することができる。
【００６０】
つまり、屈曲部５２ａに操作レバー５８を直接スライド可能に設け、操作レバー５８が屈曲部５２ａの先端ｆから突出する位置までスライドさせると、この操作レバー５８を操作する際に、利用者Ｕはハンドル４２に手を掛けることができなくなる。
【００６１】
しかしながら、この発明では上述したように、操作レバー５８を第１の手掛け部材６０に設け、この第１の手掛け部材６０とともにスライドさせるようにした。
【００６２】
そのため、図１３（ａ）に示すように操作レバー５８を屈曲部５２ａの先端ｆから突出する位置までスライドさせても、利用者Ｕは第１の手掛け部材６０に手を掛けて操作レバー５８を把持し、この操作レバー５８を操作することができる。つまり、操作レバー５８を屈曲部５２ａの先端から前方に突出する位置までスライドさせることができるから、操作レバー５８の位置決め範囲を拡大することができる。
【００６３】
図１４乃至図１６（ａ），（ｂ）はこの発明の第２の実施の形態を示す。この実施の形態は、一対のハンドル４２の屈曲部５２ａの先端部に、それぞれ第２の手掛け部材７２を上記屈曲部５２ａの軸線に対してほぼ直角に、しかも屈曲部５２ａの軸方向に沿ってスライド可能かつ任意の位置で固定可能に設けるようにした。
【００６４】
つまり、第２の手掛け部材７２の一端には、図１６（ａ），（ｂ）に示すように、帯板をほぼＣ字状に曲成した湾曲部７３を有する取付け部材としてのバンド７４が固着されている。このバンド７４の両端部はボルト７５ａとナット７５ｂによって締め付け可能となっている。
【００６５】
上記バンド７４は、ハンドル７４の屈曲部５２ａにスライド可能に取付けられる。そして、所定の位置で上記ボルト７５ａとナット７５ｂによってバンド７４の両端部を締め付ければ、このバンド７４を上記屈曲部５２ａにスライド不能に固定できる。それによって、バンド７４と一体的に設けられた上記第２の手掛け部材７２を上記屈曲部５２ａの任意の位置で、ほぼ水平かつ屈曲部５２ａに対してほぼ直角に取付け固定することができる。
【００６６】
一方の第２の手掛け部材７２には、上記第１の実施の形態の締め爪部材６６と同じ構成の締め付け部材６６Ａが設けられ、この締め付け部材６６Ａに操作レバー５８の一端部が枢着されている。
【００６７】
上記構成によれば、第２の手掛け部材７２をハンドル４２の屈曲部５２ａの軸線に対してほぼ直角に設けるようにしたから、図１５に示すように利用者Ｕは手のひらを横に向けず、下に向けたままの状態で上記第２の手掛け部材７２に手を掛け、一方の手掛け部材７２に設けられた操作レバー５８を把持することができる。
【００６８】
そのため、利用者Ｕは第２の手掛け部材７２に手を掛け易いばかりか、とくに利用者Ｕが着座体１３を所定の角度まで回動させてから立ち上がる際、上記第２の手掛け部材７２を介して立ち上がる方向、つまり第２の手掛け部材７２を下方へ押す方向へ力を入れ易くなるから、利用者Ｕは立ち上がり易くなるということもある。
【００６９】
上記第２の手掛け部材７２は屈曲部５２ａの軸方向に沿って取付け位置を変更することができる。そのため、一対の第２の手掛け部材７２を利用者Ｕが利用し易い位置に位置決めすることができる。
【００７０】
【発明の効果】
以上のようにこの発明によれば、ガススプリングを着座体に直接連結するため、リンク機構を介して連結する場合に比べて構成の簡略化を図ることができ、しかもガススプリングによる着座体の回動角度は任意の位置で保持できるから、立ち上り時や着座時に利用者が利用し易い回動角度にすることができるばかりか、途中の角度で回動不能に保持することで、立ち上り時や着座時に利用者にかかる負担を軽減できる。
【００７１】
さらに、ガススプリングを操作するための操作レバーはハンドルにスライド可能に設けたから、利用者の利用し易い位置に位置決めすることができるなどのことある。
【図面の簡単な説明】
【図１】この発明の第１の実施の形態を示す椅子の斜視図。
【図２】着座体から便座を取り外した椅子の斜視図。
【図３】一部省略した椅子の側面図。
【図４】着座体と本体及びハンドルとの取付け構造の断面図。
【図５】着座体とガススプリングとの連結部分の側面図。
【図６】ハンドルの固定管体と可動管体との連結構造の断面図。
【図７】着座体とチェーンとの連結構造の斜視図。
【図８】ハンドルの起立状態を実線で、倒伏状態を鎖線で示す説明図。
【図９】ハンドルの高さを変えた状態を実線と鎖線で示す説明図。
【図１０】利用者が椅子を利用するときの説明図。
【図１１】利用者が介助者に介助されて椅子を利用するときの説明図。
【図１２】ハンドルを図１に示す状態から左右逆方向に交換した状態の説明図。
【図１３】（ａ）〜（ｃ）はそれぞれハンドルの屈曲部の先端部分を示す図。
【図１４】この発明の第２の実施の形態の椅子を示す斜視図。
【図１５】利用者が椅子を利用するときの説明図。
【図１６】（ａ），（ｂ）はハンドルの先端部分を示す図。
【符号の説明】
１…本体
２…側体
１３…着座体
２４…ガススプリング
２４ａ…シリンダ
２４ｂ…ロッド
３７…レバー（操作部）
３５…チェーン（規制部材）
４２…ハンドル
６０…第１の手掛け部材
７２…第２の手掛け部材
【図１】
0004142324.tif 000002
【図２】
0004142324.tif 000003
【図３】
0004142324.tif 000004
【図４】
0004142324.tif 000005
【図５】
0004142324.tif 000006
【図６】
0004142324.tif 000007
【図７】
0004142324.tif 000008
【図８】
0004142324.tif 000009
【図９】
0004142324.tif 000010
【図１０】
0004142324.tif 000011
【図１１】
0004142324.tif 000012
【図１２】
0004142324.tif 000013
【図１３】
0004142324.tif 000014
【図１４】
0004142324.tif 000015
【図１５】
0004142324.tif 000016
【図１６】
0004142324.tif 000017